(57)【特許請求の範囲】
【請求項１】
テレビ受像機に接続されるテレビ通信部と、エネルギーの使用状況に関する情報を使用情報として取得する情報取得部と、前記情報取得部が取得した前記使用情報に基づいてコンテンツを生成する生成部と、前記生成部で生成された前記コンテンツを前記テレビ受像機に表示させる処理部とを備え、
前記処理部は、前記テレビ受像機がオンしたことをトリガにして前記コンテンツを前記テレビ受像機に表示させており、前記テレビ受像機がオンしたタイミングに関する条件情報に応じて、前記テレビ受像機に表示させる前記コンテンツの種類を複数種類の中から選択することを特徴とする管理装置。
【請求項２】
前記テレビ受像機のオンオフの別を検知する動作検知部と、前記条件情報を取得する条件取得部と、前記コンテンツの種類と前記条件情報との対応関係を表す条件テーブルを記憶する条件記憶部とを備え、
前記処理部は、前記動作検知部にて前記テレビ受像機がオンしたことが検知されると、前記条件取得部にて取得された前記条件情報と前記条件テーブルにて対応付けられた種類の前記コンテンツを前記テレビ受像機に表示させることを特徴とする請求項１に記載の管理装置。
【請求項３】
前記条件情報は前記テレビ受像機がオンした時刻であって、前記処理部は、前記テレビ受像機がオンした時間帯に対応する種類の前記コンテンツを選択することを特徴とする請求項１または請求項２に記載の管理装置。
【請求項４】
前記処理部は、前記テレビ受像機がオンした場合に、当該テレビ受像機がオフしてからオンするまでの経過時間が所定時間未満であれば、前記コンテンツの表示を中止させることを特徴とする請求項３に記載の管理装置。
【請求項５】
前記条件情報は前記テレビ受像機がオフしてからオンするまでの経過時間であって、前記処理部は、前記経過時間の長さに対応する種類の前記コンテンツを選択することを特徴とする請求項１または請求項２に記載の管理装置。
【請求項６】
前記条件情報は当日中に前記テレビ受像機がオンした回数であって、前記処理部は、当日中に前記テレビ受像機がオンした回数に対応する種類の前記コンテンツを選択することを特徴とする請求項１または請求項２に記載の管理装置。
【請求項７】
請求項１ないし請求項６のいずれか１項に記載の管理装置と、前記コンテンツを表示する前記テレビ受像機と、前記エネルギーの使用状況を計測し前記使用情報を前記管理装置に提供する計測装置とを備えることを特徴とするエネルギー管理システム。
【発明の詳細な説明】
【技術分野】
【０００１】
本発明は、エネルギーの使用状況をユーザに通知する管理装置、エネルギー管理システムに関する。
【背景技術】
【０００２】
従来から、エネルギー管理システムとして、たとえば電力量計を介して屋内配線に接続される電気製品の消費電力量をモニタするシステムが提案されている（たとえば特許文献１参照）。
【０００３】
特許文献１に記載のシステムでは、テレビに設けられたセンター機能が、各電気製品、電力量計との間で通信を行い、電力量計により測定される総消費電力量の情報と屋内配線に接続される各電気製品の消費電力量を収集してテレビの画面に表示する。
【先行技術文献】
【特許文献】
【０００４】
【特許文献１】特開２０１０−１７５３８８号公報（第００２２−００２３段落）
【発明の概要】
【発明が解決しようとする課題】
【０００５】
しかし、上述のシステムでは、テレビジョン放送の視聴中に消費電力量の情報がテレビの画面に表示されることにより、テレビジョン放送の視聴というテレビ本来の機能が妨げられる可能性がある。
【０００６】
本発明は上記事由に鑑みて為されており、エネルギーの使用状況をテレビ受像機の画面に表示しながらも、テレビ受像機本来の機能の妨げとなりにくい管理装置、エネルギー管理システムを提供することを目的とする。
【課題を解決するための手段】
【０００７】
本発明の管理装置は、テレビ受像機に接続されるテレビ通信部と、エネルギーの使用状況に関する情報を使用情報として取得する情報取得部と、前記情報取得部が取得した前記使用情報に基づいてコンテンツを生成する生成部と、前記生成部で生成された前記コンテンツを前記テレビ受像機に表示させる処理部とを備え、前記処理部は、前記テレビ受像機がオンしたことをトリガにして前記コンテンツを前記テレビ受像機に表示させており、前記テレビ受像機がオンしたタイミングに関する条件情報に応じて、前記テレビ受像機に表示させる前記コンテンツの種類を複数種類の中から選択することを特徴とする。
【０００８】
この管理装置において、前記テレビ受像機のオンオフの別を検知する動作検知部と、前記条件情報を取得する条件取得部と、前記コンテンツの種類と前記条件情報との対応関係を表す条件テーブルを記憶する条件記憶部とを備え、前記処理部は、前記動作検知部にて前記テレビ受像機がオンしたことが検知されると、前記条件取得部にて取得された前記条件情報と前記条件テーブルにて対応付けられた種類の前記コンテンツを前記テレビ受像機に表示させることが望ましい。
【０００９】
この管理装置において、前記条件情報は前記テレビ受像機がオンした時刻であって、前記処理部は、前記テレビ受像機がオンした時間帯に対応する種類の前記コンテンツを選択することがより望ましい。
【００１０】
この管理装置において、前記処理部は、前記テレビ受像機がオンした場合に、当該テレビ受像機がオフしてからオンするまでの経過時間が所定時間未満であれば、前記コンテンツの表示を中止させることがより望ましい。
【００１１】
この管理装置において、前記条件情報は前記テレビ受像機がオフしてからオンするまでの経過時間であって、前記処理部は、前記経過時間の長さに対応する種類の前記コンテンツを選択することがより望ましい。
【００１２】
この管理装置において、前記条件情報は当日中に前記テレビ受像機がオンした回数であって、前記処理部は、当日中に前記テレビ受像機がオンした回数に対応する種類の前記コンテンツを選択することがより望ましい。
【００１３】
本発明のエネルギー管理システムは、上記いずれかの管理装置と、前記コンテンツを表示する前記テレビ受像機と、前記エネルギーの使用状況を計測し前記使用情報を前記管理装置に提供する計測装置とを備えることを特徴とする。
【発明の効果】
【００１４】
本発明は、エネルギーの使用状況をテレビ受像機の画面に表示しながらも、テレビ受像機本来の機能の妨げとなりにくいという利点がある。
【図面の簡単な説明】
【００１５】
【図１】実施形態１に係る管理装置を用いたエネルギー管理システムの要部を示すブロック図である。
【図２】実施形態１に係る管理装置を用いたエネルギー管理システムを示すシステム構成図である。
【図３】実施形態１に係る管理装置を用いたエネルギー管理システムの動作例を示す説明図である。
【発明を実施するための形態】
【００１６】
（実施形態１）
本実施形態の管理装置は、エネルギーの使用状況をユーザに通知するエネルギー管理システムに用いられる。以下では、エネルギー管理システムが一般住宅に用いられており、管理対象のエネルギーが電力（電気エネルギー）である場合を例として説明する。
【００１７】
このエネルギー管理システム１は、図２に示すように、管理装置２と、テレビ受像機（以下、「テレビ」と略称する）３とを備えている。管理装置２は、エネルギー（ここでは電力）の使用状況に関する情報を使用情報として、当該使用情報に基づいて生成したコンテンツをテレビ３に表示させる。
【００１８】
図２では、商用電源の単相三線式の引込線１１〜１３に接続された分電盤４が設けられ、分電盤４には、引込線１１〜１３が接続される主幹ブレーカ４１と、主幹ブレーカ４１の二次側から分岐する複数の電路の各々に挿入される分岐ブレーカ４２とが設けられている。各分岐ブレーカ４２の二次側には負荷５が接続される。ここでいう負荷５には、屋内配線に接続される種々の電気機器の他、コンセント、壁スイッチ等の配線器具を含む。
【００１９】
さらに、図２の例では、住宅に太陽電池６が設けられており、太陽電池６と電力会社から供給される商用電力系統とで系統連系が行われる。太陽電池６は、インバータ回路（図示せず）を有するパワーコンディショナ７に接続されている。パワーコンディショナ７は、太陽電池６で生成された直流電力をインバータ回路にて交流電力に変換して出力する。パワーコンディショナ７には蓄電池８も接続されており、パワーコンディショナ７は蓄電池８の充電および放電を行う。つまり、パワーコンディショナ７は、たとえば昼間に太陽電池６の出力によって蓄電池８を充電し、夜間には蓄電池８に蓄積された電力をインバータ回路にて交流電力に変換して出力する。
【００２０】
パワーコンディショナ７は、分電盤４に設けられている連系ブレーカ４３に接続される。連系ブレーカ４３の二次側は主幹ブレーカ４１の二次側に接続されている。これにより、太陽電池６および蓄電池８の出力は、パワーコンディショナ７を介して分電盤４から負荷５に供給される。負荷５で消費される電力を太陽電池６および蓄電池８の出力のみで賄えない場合には、商用電力系統から負荷５へ電力供給される。また、太陽電池６で生成される電力が全ての負荷５で消費される電力の合計よりも大きい場合で、且つ蓄電池８が満充電状態にあれば、太陽電池６で生じた電力の余剰分（以下、「余剰電力」という）は、商用電力系統に逆潮流されて電力会社に売電される。つまり、余剰電力の発生時、パワーコンディショナ７は、余剰電力の電圧を商用電力系統よりも高くすることによって逆潮流を行う。
【００２１】
なお、このように系統連系を行う住宅においては、商用電力系統の停電時に太陽電池６の単独運転を防止する必要がある。そこで、パワーコンディショナ７には、商用電力系統の停電検出時にインバータ回路の動作を停止させるとともに、連系ブレーカ４３を解列（開放）させる保護機能が設けられている。
【００２２】
また、分電盤４には、主幹ブレーカ４１を流れる電流を検出するセンサ部４４と、センサ部４４の出力を受けて、負荷５へ供給されている電力量を計測する計測器４５とが設けられている。計測器４５は、主幹ブレーカ４１を介して負荷５へ供給される電力の積算値を求め、当該積算値を電力量として計測する。センサ部４４は主幹ブレーカ４１の二次側（分岐ブレーカ４２側）に挿入され、計測器４５は他の内器（主幹ブレーカ４１や分岐ブレーカ４２）と一緒に分電盤４内に収納されている。また、センサ部４４は分岐ブレーカ４２ごとに設けられていてもよく、この場合、計測器４５はセンサ部４４の出力から負荷５ごとに電力量を計測する構成であってもよい。
【００２３】
さらに、パワーコンディショナ７は、太陽電池６で発電された電力量（発電量）を計測する発電量計測部７１（図１参照）を有し、蓄電池８は、残りの電力量（残容量）を計測する残容量計測部８１（図１参照）を有している。これら発電量計測部７１と残容量計測部８１と計測器４５との各々は、エネルギーの使用状況を計測し使用情報を管理装置２に提供する計測装置を構成する。
【００２４】
管理装置２は、図１に示すように、コンテンツをテレビ３に表示させる処理を行う処理部２１と、各種のデータを記憶する記憶部２２とを有している。
【００２５】
処理部２１は、後述の生成部２６にて生成されるコンテンツをテレビ３に提供することによって、コンテンツをテレビ３に表示させる。具体的には、処理部２１がコンテンツを提供するＷｅｂサーバとしての機能を有し、テレビ３が処理部２１から提供されるコンテンツを閲覧するＷｅｂブラウザとして機能を有している。処理部２１は、テレビ３からコンテンツ要求を受けると、コンテンツ要求の送信元のテレビ３に対して、コンテンツ要求への応答としてコンテンツを提供する。
【００２６】
テレビ３は、管理装置２から提供されたコンテンツを画面の一部（たとえば右下の隅）に表示する。具体的には、テレビ３はテレビジョン放送を受信して表示する映像の一部に重なるようにコンテンツを表示する。なお、コンテンツの表示形態は上記形態に限らず、たとえばテレビジョン放送を受信して表示する映像を縮小し、この映像と並べてコンテンツが表示される形態であってもよい。あるいは、一時的にテレビジョン放送の表示を中断して、全画面にコンテンツが表示されてもよい。
【００２７】
また、管理装置２は、計測器４５と発電量計測部７１と残容量計測部８１との各々の計測結果（電力量）を、エネルギーの使用状況に関する使用情報として取得し、取得した使用情報を記憶部２２に記憶する情報取得部２０を有している。ここでは、計測器４５に接続される第１の計測インタフェース２３と、発電量計測部７１に接続される第２の計測インタフェース２４と、残容量計測部８１に接続される第３の計測インタフェース２５とが管理装置２に設けられている。情報取得部２０は、これら第１〜第３の各計測インタフェース２３〜２５に接続されている。
【００２８】
ここで、情報取得部２０は、定期的（たとえば５分ごと）に使用情報を取得し、取得した使用情報を時系列に従って記憶部２２に記憶する。なお、情報取得部２０が定期的に取得する使用情報は、発電量計測部７１と残容量計測部８１と計測器４５との各々で、前回の取得時点から今回の取得時点までの間に計測された電力量である。
【００２９】
また、管理装置２は、コンテンツを生成する生成部２６と、テレビ３のオンオフの別を検知する動作検知部２７と、テレビ３がオンしたタイミングに関する条件情報を取得する条件取得部２８と、テレビ３に接続されるテレビ用インタフェース２９とを有している。テレビ用インタフェース２９はテレビ通信部を構成する。
【００３０】
本実施形態では、管理装置２は、テレビ３、パワーコンディショナ７の発電量計測部７１、蓄電池８の残容量計測部８１、計測器４５と共に、住宅内において汎用の通信プロトコルを利用したＬＡＮ（Local Area Network）を構築する。テレビ３と管理装置（テレビ用インタフェース２９）２との間、並びにパワーコンディショナ７、蓄電池８、計測器４５の各々と管理装置２との間は、ＬＡＮケーブルによって有線接続されていてもよいし、無線ＬＡＮによって無線接続されていてもよい。なお、これらの接続形態はＬＡＮ接続に限らず、たとえばテレビ３と管理装置（テレビ用インタフェース２９）２との間はＨＤＭＩ（High-Definition MultimediaInterface）等の規格に準じた接続形態であってもよい。
【００３１】
生成部２６は、記憶部２２に記憶されている使用情報に基づいて、処理部２１よりテレビ３に提供するコンテンツを生成する。生成部２６は、情報取得部２０が使用情報を取得する度に新しいコンテンツを生成し、この新しいコンテンツを記憶部２２に記憶する。このとき、記憶部２２においては古いコンテンツは常に新しいコンテンツに更新される。詳しくは後述するが、コンテンツの種類は複数種類あって、本実施形態では、生成部２６はこれら複数種類のコンテンツを全て生成し記憶部２２に記憶する。
【００３２】
動作検知部２７は、テレビ３から送信されるサーチ信号に基づいて、テレビ３が「オン」・「オフ」のいずれの状態にあるかを検知する。テレビ３は、自己に関連するサービスを提供する機器のアドレスが予め登録されており、登録されたアドレス宛に探索用のコマンドからなるサーチ信号をマルチキャストで送信する。管理装置２は、テレビ用インタフェース２９にてサーチ信号を受信すると、サーチ信号の送信元のテレビ３に対して、サーチ信号への応答としてテレビ用インタフェース２９からサーチ応答を返信する。
【００３３】
ここで、テレビ３は、電源がオンした後、所定時間（たとえば３分）間隔でサーチ信号を発信する。管理装置２は、テレビ３の電源がオンした後で当該テレビ３から最初に送信されたサーチ信号を受けると、このテレビ３がオンしたことを動作検知部２７にて検知する。その後、管理装置２は、所定時間間隔で送信されてくるサーチ信号を受信することにより、テレビ３がオン状態を継続していることを動作検知部２７にて検知し、サーチ信号を受信できなくなると、テレビ３がオフしたことを動作検知部２７にて検知する。なお、テレビ３の電源がオンしてから最初にサーチ信号が送信されるまでに要する時間は数秒程度である。
【００３４】
また、条件取得部２８は、テレビ３がオンしたタイミングに関する条件情報として、テレビ３がオンした時刻を表す情報を取得する。本実施形態では、テレビ３から送信されるサーチ信号に現在時刻を表す時刻情報が含まれており、条件取得部２８は、テレビ３の電源がオンした後で当該テレビ３から最初に送信されるサーチ信号を受けて、テレビ３がオンした時刻を表す条件情報を取得する。
【００３５】
なお、管理装置２は、処理部２１にて蓄電池８の充放電の制御、並びに各負荷５のオンオフ制御についても可能となるように構成されていてもよいが、処理部２１によるこれらの制御についての詳細な説明は省略する。管理装置２の主な機能である処理部２１、情報取得部２０、生成部２６、動作検知部２７、条件取得部２８は、マイコン（マイクロコンピュータ）を主体として実現される。
【００３６】
ところで、本実施形態の管理装置２においては、処理部２１は、テレビ３がオンしたことをトリガとして、生成部２６で生成されたコンテンツをテレビ３に表示させる。さらに、処理部２１は、条件取得部２８で取得された条件情報に応じて、コンテンツの種類を複数種類の中から選択し、選択した種類のコンテンツをテレビ３に表示させる。
【００３７】
すなわち、管理装置２の動作検知部２７は、テレビ３がオンしたことを検知するとトリガを発生し、このトリガを受けて、処理部２１が記憶部２２に記憶されているコンテンツをテレビ３に提供する。このとき、管理装置２はテレビ３がオンしたタイミングに関する条件情報（ここでは、テレビ３がオンした時刻を表す情報）を条件取得部２８にて取得し、当該条件情報に応じたコンテンツの種類を処理部２１にて選択する。
【００３８】
ここにおいて、管理装置２の記憶部２２には、複数種類のコンテンツについて、コンテンツの種類と条件情報とが対応付けられた条件テーブルが予め記憶されている。つまり、記憶部２２の記憶領域の一部は、コンテンツの種類と条件情報との対応関係を表す条件テーブルを記憶する条件記憶部として機能する。処理部２１は、動作検知部２７でトリガが発生すると、記憶部２２の条件テーブルを参照して、条件取得部２８から取得した条件情報に条件テーブル上で対応するコンテンツの種類を選択する。
【００３９】
本実施形態の管理装置２においては、テレビ３に表示させるコンテンツとして、下記（１）〜（５）の５種類のコンテンツがある。
（１）前日の消費電力量に関するコンテンツ
（２）本日の消費電力量に関するコンテンツ
（３）本日の発電量に関するコンテンツ
（４）本日の蓄電量に関するコンテンツ
（５）今月の消費電力量に関するコンテンツ
本実施形態では、条件情報（テレビ３がオンした時間帯）と上記複数種類のコンテンツとが、下記表１のように関連付けられた条件テーブルが記憶部２２に記憶されている。
【００４０】
【表１】
0005789741.tif 000002
【００４１】
すなわち、「０：００〜８：００」の時間帯にテレビ３がオンした場合、処理部２１は、条件テーブルを参照して「０：００〜８：００」の時間帯に対応する種類（１）のコンテンツを選択する。このとき、処理部２１は、生成部２６で生成され記憶部２２に記憶されている複数種類のコンテンツのうち、前日の消費電力量に関するコンテンツ、たとえば前日中に消費された総電力量を表すコンテンツをテレビ３に表示させる。これにより、ユーザは、「０：００〜８：００」の時間帯にテレビ３をオンした場合には、テレビ３の画面に表示されるコンテンツを見て、前日の電力の使用状況を把握することができる。
【００４２】
また、「２０：００〜２４：００」の時間帯にテレビ３がオンした場合、処理部２１は、条件テーブルを参照して「２０：００〜２４：００」の時間帯に対応する種類（２）のコンテンツを選択する。このとき、処理部２１は、生成部２６で生成され記憶部２２に記憶されている複数種類のコンテンツのうち、本日の消費電力量に関するコンテンツ、たとえば本日の現在時刻までに消費された総電力量を表すコンテンツをテレビ３に表示させる。これにより、ユーザは、「２０：００〜２４：００」の時間帯にテレビ３をオンした場合には、テレビ３の画面に表示されるコンテンツを見て、本日の電力の使用状況を把握することができる。
【００４３】
また、「１２：００〜１６：００」の時間帯にテレビ３がオンした場合、処理部２１は、条件テーブルを参照して「１２：００〜１６：００」の時間帯に対応する種類（３）のコンテンツを選択する。このとき、処理部２１は、生成部２６で生成され記憶部２２に記憶されている複数種類のコンテンツのうち、本日の発電量に関するコンテンツ、たとえば本日の現在時刻までに太陽電池６で発電された総電力量を表すコンテンツをテレビ３に表示させる。これにより、ユーザは、「１２：００〜１６：００」の時間帯にテレビ３をオンした場合には、テレビ３の画面に表示されるコンテンツを見て、本日の電力の使用状況を把握することができる。
【００４４】
また、「１６：００〜２０：００」の時間帯にテレビ３がオンした場合、処理部２１は、条件テーブルを参照して「１６：００〜２０：００」の時間帯に対応する種類（４）のコンテンツを選択する。このとき、処理部２１は、生成部２６で生成され記憶部２２に記憶されている複数種類のコンテンツのうち、本日の蓄電量に関するコンテンツ、たとえば本日の現在時刻までに蓄電池８に蓄電された総電力量を表すコンテンツをテレビ３に表示させる。これにより、ユーザは、「１６：００〜２０：００」の時間帯にテレビ３をオンした場合には、テレビ３の画面に表示されるコンテンツを見て、本日の電力の使用状況を把握することができる。
【００４５】
また、「８：００〜１２：００」の時間帯にテレビ３がオンした場合、処理部２１は、条件テーブルを参照して「８：００〜１２：００」の時間帯に対応する種類（５）のコンテンツを選択する。このとき、処理部２１は、生成部２６で生成され記憶部２２に記憶されている複数種類のコンテンツのうち、今月の消費電力量に関するコンテンツ、たとえば今月中に消費された総電力量を表すコンテンツをテレビ３に表示させる。これにより、ユーザは、「８：００〜１２：００」の時間帯にテレビ３をオンした場合には、テレビ３の画面に表示されるコンテンツを見て、今月の電力の使用状況を把握することができる。
【００４６】
なお、生成部２６が生成するコンテンツは、上述したような種類のコンテンツに限らず、たとえば現在の時間帯における電気料金（単価）や、電力会社から購入する電力（買電電力）をゼロにするのに削減することが必要な消費電力などを通知するコンテンツでもよい。また、生成部２６は、電力量に関しては電気料金に換算してコンテンツを生成してもよい。さらに、管理装置２は、インターネットに接続され、インターネット上のサーバから天気等の情報を取得する機能を有していてもよい。この場合、管理装置２は、たとえば天気の情報に基づいて太陽電池６の発電量の予測を行うことができる。条件テーブルにおいては、種類（１）のコンテンツに加えて、あるいは種類（１）のコンテンツに代えて、本日の発電量の予測に関するコンテンツが「０：００〜８：００」の時間帯に対応付けられていてもよい。
【００４７】
次に、エネルギー管理システム１の動作について、図３を参照して説明する。なお、図３では住宅内にテレビ３が複数台（ここでは３台）ある場合を例示しており、これら第１〜第３のテレビ３，３，３は各々が管理装置２に接続され、管理装置２から提供されるコンテンツを閲覧するＷｅｂブラウザとしての機能を有している。
【００４８】
まず、第１〜第３の全てのテレビ３，３，３がオフの状態では、管理装置２は、情報取得部２０にて使用情報を定期的に取得し、生成部２６にてコンテンツを生成して記憶部２２に記憶する。
【００４９】
第１のテレビ３がオンすると、数秒後、第１のテレビ３は管理装置２に対してサーチ信号を送信する。このサーチ信号を受けた管理装置２は、第１のテレビ３がオンしたことを動作検知部２７にて検知し、第１のテレビ３に対してサーチ応答を返信する。このとき、管理装置２は、条件取得部２８にて、サーチ信号に含まれる時刻情報から第１のテレビ３がオンした時刻を取得する。
【００５０】
さらに、管理装置２は、第１のテレビ３がオンしたことをトリガとして、処理部２１にてテレビ３に表示させるコンテンツを選択する。このとき、処理部２１は、条件取得部２８で取得された条件情報に応じて、コンテンツの種類を複数種類の中から選択する。
【００５１】
処理部２１にてコンテンツが選択されると、管理装置２は、第１のテレビ３に対して、提供可能なコンテンツがある旨を知らせるイベント通知を送信する。第１のテレビ３は、イベント通知を受けると、コンテンツ要求を管理装置２に送信し、コンテンツ要求への応答（コンテンツ応答）として管理装置２から提供されるコンテンツを画面に表示する。
【００５２】
その後、第１のテレビ３は、オフされるまでは所定時間間隔で管理装置２にサーチ信号を送信する。管理装置２は、所定時間間隔で送信されてくるサーチ信号を受信できなくなると、第１のテレビ３がオフしたことを動作検知部２７にて検知する。
【００５３】
以上説明した構成の管理装置２によれば、エネルギー（電力）の使用状況に基づいて生成されたコンテンツが、プッシュ方式でテレビ３に表示されるので、ユーザはテレビ３の画面を見てエネルギーの使用状況に関する情報を得ることができる。この種のコンテンツを表示する場合、即時性は重要ではないが、ユーザの視界に入りやすい位置に表示することが求められる。そのため、コンテンツを表示する媒体として、ユーザの視界に入りやすいテレビ３が適している。
【００５４】
ここで、コンテンツはテレビ３がオンしたことをトリガとして表示されるので、テレビジョン放送の視聴中にコンテンツがテレビ３の画面に表示される場合に比べて、テレビジョン放送の視聴というテレビ３本来の機能の妨げとなりにくい。すなわち、電力の使用状況のように即時性の高くない情報に関してはあまり頻繁に表示されるとテレビジョン放送の視聴の妨げとなるのに対し、本実施形態では、テレビ３がオンしたときにのみ表示されるのでテレビジョン放送の視聴の妨げとはなりにくい。
【００５５】
しかも、テレビ３に表示されるコンテンツの種類は、テレビ３がオンしたタイミングに関する条件情報に応じて最適化されることになる。本実施形態の場合、条件情報はテレビ３がオンした時刻を表す情報であるから、テレビ３がオンした時間帯に応じてテレビ３に表示されるコンテンツの種類が最適化されることになる。
【００５６】
また、コンテンツの種類と条件情報との対応関係は記憶部２２に記憶された条件テーブルによって決められているので、ユーザは、記憶部２２内の条件テーブルを変更するだけで、コンテンツの種類と条件情報との対応関係を容易に変更できるという利点がある。そのため、記憶部２２内の条件テーブルを変更する機能が管理装置２に付加されていれば、ユーザにより適した種類のコンテンツをテレビ３に表示させることが可能になる。
【００５７】
ところで、管理装置２は、テレビ３がオフしてからオンするまでの経過時間が所定時間未満であれば、処理部２１がコンテンツの表示をキャンセルする構成であってもよい。この構成では、テレビ３がオフしてからオンするまでの経過時間が所定時間未満であれば、動作検知部２７にてテレビ３がオンしたことが検知されトリガが発生しても、テレビ３にはコンテンツが表示されることはない。
【００５８】
これにより、テレビ３がオフされた後すぐにオンされる場合には、テレビ３にコンテンツは表示されない。すなわち、テレビ３が頻繁にオンオフされるような場合において、テレビ３がオンする度にコンテンツが表示されると、テレビジョン放送の視聴というテレビ３本来の機能の妨げとなる可能性があるが、上記構成によればこのような事態を回避できる。
【００５９】
なお、図３では複数台のテレビ３の各々が管理装置２に接続されＷｅｂブラウザとしての機能を有する場合を例示したが、この例に限らず、管理装置２に接続されるテレビ３は１台だけであってもよい。
【００６０】
また、管理装置２の情報取得部２０は、電気機器や給湯設備などの運転状態を通信により取得し、この運転状態に基づいてエネルギーの使用状況に関する使用情報を取得する構成であってもよい。
【００６１】
（実施形態２）
本実施形態の管理装置２は、テレビ３がオフしてからオンするまでの経過時間を条件情報としている点が実施形態１の管理装置２と相違する。
【００６２】
管理装置２の条件取得部２８は、テレビ３がオフしたことが動作取得部２７で検知された時点から、このテレビ３がオンしたことが動作取得部２７で検知された時点までの経過時間を、管理装置２に内蔵のタイマ（図示せず）にて計時し条件情報とする。言い換えれば、条件取得部２８は、テレビ３のオン時に、このテレビ３が最後にオフしてからの経過時間を条件情報として用いる。
【００６３】
本実施形態では、条件情報と複数種類のコンテンツとが下記表２のように対応付けられた条件テーブルが記憶部２２に記憶されている。なお、以下では、コンテンツの種類として実施形態１にて例示した（１）〜（５）を示す。
【００６４】
【表２】
0005789741.tif 000003
【００６５】
処理部２１は、トリガが発生すると、記憶部２２の条件テーブルを参照して、条件取得部２８から取得した条件情報に条件テーブル上で対応する種類のコンテンツを選択しテレビ３に表示させる。この構成によれば、テレビ３に表示されるコンテンツの種類は、テレビ３がオフしていた時間の長さに応じて最適化されることになる。
【００６６】
その他の構成および機能は実施形態１と同様である。
【００６７】
（実施形態３）
本実施形態の管理装置２は、当日中にテレビ３がオンした回数を条件情報としている点が実施形態１の管理装置２と相違する。
【００６８】
管理装置２の条件取得部２８は、テレビ３がオンしたことが動作取得部２７で検知されると、サーチ信号に含まれる日付の情報から、このテレビ３が同一の日付でオンした回数をカウントし条件情報とする。
【００６９】
本実施形態では、条件情報と複数種類のコンテンツとが下記表３のように対応付けられた条件テーブルが記憶部２２に記憶されている。なお、以下では、コンテンツの種類として実施形態１にて例示した（１）〜（５）を示す。
【００７０】
【表３】
0005789741.tif 000004
【００７１】
処理部２１は、トリガが発生すると、記憶部２２の条件テーブルを参照して、条件取得部２８から取得した条件情報に条件テーブル上で対応する種類のコンテンツを選択しテレビ３に表示させる。この構成によれば、テレビ３に表示されるコンテンツの種類は、当日中にテレビ３がオンした回数に応じて最適化されることになる。なお、条件テーブルにおいては、種類（１）のコンテンツに加えて、あるいは種類（１）のコンテンツに代えて、本日の発電量の予測に関するコンテンツが「１回目」の条件情報に対応付けられていてもよい。
【００７２】
その他の構成および機能は実施形態１と同様である。
【００７３】
なお、エネルギー管理システム１の管理対象となるエネルギーは、電力（電気量）に限らず、水やガスなどであってもよい。すなわち、住宅等の建物内のエリア毎に水、ガスを供給する水道管、ガス管が配設されているので、計測装置は、たとえば水道管、ガス管に設けた流量計によって水、ガスの流量を計測することによって、水、ガスの使用量を計測できる。
【符号の説明】
【００７４】
１  エネルギー管理システム
２  管理装置
３  テレビ（テレビ受像機）
２０  情報取得部
２１  処理部
２２  記憶部（条件記憶部）
２６  生成部
２７  動作検知部
２８  条件取得部
２９  テレビ用インタフェース（テレビ通信部）
４５  計測器（計測装置）
７１  発電量計測部（計測装置）
８１  残容量計測部（計測装置）
【図１】
0005789741.tif 000005
【図２】
0005789741.tif 000006
【図３】
0005789741.tif 000007